(57)【要約】【課題】簡便な構成で集光光学系全体の非点収差を確実に補正可能な光ピックアップ及び該光ピックアップを搭載した光ディスク装置を提供する。【解決手段】レーザ光源１とコリメートレンズ５との間の発散光束中に、入射光束径に応じて非点収差量の変化する非点収差補正素子２を光軸方向位置及び光軸回り回転角度が調整可能なように備える。該非点収差補正素子２の位置及び角度を調整して所定の大きさ及び方向の非点収差を与えることにより、該非点収差２以外の光学部品によって発生する集光光学系全体の非点収差を確実に補正することが可能となる。【選択図】    図１
2005004915.tif 000002
【特許請求の範囲】
【請求項１】
円盤状の光情報記録媒体の情報記録面に光を照射して記録された情報を再生し、又は、情報を記録する光ディスク装置であって、少なくとも、光源と、当該光源から出射された発散光束を平行光束に変換するコリメートレンズと、当該平行光束を光ディスクの情報記録面に集光する対物レンズとを備えた光ピックアップを備えており、さらに、前記円盤状の光情報記録媒体を回転駆動する手段と、前記光ピックアップを回転駆動される光情報記録媒体の径方向に移動する手段と、前記光ピックアップにより得られる信号により光情報記録媒体上に記録された情報を再生し、又は、前記光ピックアップへの信号により光情報記録媒体上に情報を記録する回路手段とを備えた光ディスク装置において、
前記光ピックアップは、さらに、前記光源から出射されて前記光ディスクの情報記録面に集光される光の非点収差を補正するための非点収差補正素子を備えており、かつ、前記非点収差補正素子は、前記光源と前記コリメートレンズとの間において、前記光源から前記光ディスクに至るまでの前記光ピックアップの光学部品全体により生じる非点収差が所定の値以下になる位置に調整されていることを特徴とする光ディスク装置。
【請求項２】
前記請求項１に記載した光ディスク装置において、前記前記光ピックアップは、さらに、偏光ビームスプリッタを前記コリメートレンズと前記対物レンズとの間に配置していることを特徴とする光ディスク装置。
【請求項３】
円盤状の光情報記録媒体の情報記録面に光を照射して記録された情報を再生し、又は、情報を記録する光ディスク装置において使用される光ピックアップであって、光源と、当該光源から出射された発散光束を平行光束に変換するコリメートレンズと、当該平行光束を光ディスクの情報記録面に集光する対物レンズと、前記光源から出射されて前記光ディスクの情報記録面に集光される光の非点収差を補正するための非点収差補正素子を備えた光ピックアップにおいて、前記非点収差補正素子は、前記光源と前記コリメートレンズとの間において、前記光源から前記光ディスクに至るまでの前記光ピックアップの光学部品全体により生じる非点収差が所定の値以下になる位置に調整されていることを特徴とする光ピックアップ。
【請求項４】
前記請求項３に記載した光ピックアップにおいて、前記非点収差補正素子は、前記光源からの光に対し、その光軸方向の位置、及び、光軸回りの回転角度が調整されていることを特徴とする光ピックアップ。
【請求項５】
前記請求項４に記載した光ピックアップにおいて、前記非点収差補正素子は円筒形状であることを特徴とする光ピックアップ。
【請求項６】
前記請求項５に記載した光ピックアップにおいて、前記非点収差補正素子は、光軸方向の前後に平行なシリンドリカル面を有する板状光学素子から構成されていることを特徴とする光ピックアップ。
【請求項７】
前記請求項６に記載した光ピックアップにおいて、前記非点収差補正素子は、前記シリンドリカル面の少なくとも一方の面において、当該面を形成する二つの軸の一方の軸方向において所定の曲率を備えていることを特徴とする光ピックアップ。
【請求項８】
前記請求項５に記載した光ピックアップにおいて、前記非点収差補正素子は、その周囲にホルダー部を備えており、かつ、当該ホルダー部の一部には、切欠き部を備えていることを特徴とする光ピックアップ。
【請求項９】
前記請求項３〜８の何れかに記載された光ピックアップの調整方法であって、前記光ピックアップの前記対物レンズから出射される光を観察しながら、前記非点収差補正素子の位置を調整することを特徴とする光ピックアップの調整方法。
【請求項１０】
前記請求項９に記載した光ピックアップの調整方法において、前記非点収差補正素子の位置を、前記光源からの光に対し、その光軸方向の位置、及び、光軸回りの回転角度を調整することを特徴とする光ピックアップの調整方法。
【発明の詳細な説明】
【０００１】
【発明の属する技術分野】
本発明は、所謂、光ディスク等の光記録情報媒体に対し、情報を記録・再生可能な光ディスク装置に関するものであり、特に、かかる光ディスク装置における光ピックアップとその光ピックアップの調整方法に関する。
【０００２】
【従来の技術】
従来、光ディスク等の光記録情報媒体に対して情報を記録・再生可能な光ディスク装置は、非接触、大容量であり、かつ、高速アクセスが可能であり、更には、可換かつ低コストなメディアを特徴とする情報の記録再生装置として知られており、これらの特徴を生かして、例えば、ディジタルオーディオ信号やディジタル映像信号の記録再生装置として、あるいは、コンピュータの外部記憶装置として広く利用されている。
【０００３】
ところで、これらの光ディスク装置においては、特に、光ディスクに対してレーザ光を照射して情報の記録・再生を可能にするために使用される、所謂、光ピックアップにおける集光光学系の非点収差は、再生信号ジッタの劣化や、トラッキング誤差信号の振幅の低下等を引き起こし、そのため、光ディスク装置において情報を記録及び再生するために用いられる各種の信号に対して悪影響を与えている。
【０００４】
例えば、かかる光ディスク装置における光源である半導体レーザから出射される光束は、その発光部である活性層の構造に起因し、必然的に、非点収差（非点格差）を有している。そこで、従来から、当該半導体レーザにおける非点収差を取り除くため、種々の対策が取られてきた。
【０００５】
例えば、以下の特許文献１には、半導体レーザの前方に、光軸に対して斜めに傾斜した平行透明板と、当該平行透明板の傾斜角度を調整するための調整機構とを備えており、発散光束が当該該平行透明板に対して斜めに入射して透過する際に発生する非点収差を利用して半導体レーザの非点収差を補正する構成が開示されている。
【０００６】
あるいは、以下の特許文献２には、コリメートレンズをトーリックレンズとし、もって、半導体レーザの非点収差を補正する構成が開示されている。
【０００７】
また、以下の特許文献３には、コリメートレンズの像高特性として発生する非点収差を利用し、半導体レーザを当該コリメートレンズの光軸から所定量ずらした位置関係とすることによって、当該半導体レーザの非点収差を補正する構成が開示されている。
【０００８】
しかしながら、近年における高密度光ディスクにおいては、レーザ光源波長の短縮や対物レンズの開口数の拡大によって、形成される光スポットのより一層の小型化が図られており、これに伴って、装置の集光光学系の非点収差が及ぼす悪影響は、従来に増して、より深刻になってきている。言い換えると、半導体レーザ以外の光学部品に起因する非点収差が問題となってきている。
【０００９】
かかる問題点に対しては、例えば、以下の特許文献４によれば、光源である半導体レーザの構造に起因する非点収差（非点格差）を、同程度の非点収差を有する集光レンズで補正し、さらに、その他の光学部品の非点収差についても、やはり、同程度の非点収差を有する非点収差補正素子をその光軸回りに回転調整することにより補正する構成が開示されている。このような構成により、半導体レーザの非点収差のみならず、その他の光学部品の非点収差をも補正し、もって、集光光学系全体の非点収差の低減を可能としている。
【００１０】
【特許文献１】
特許文献１：特開平１０−２１５７９号公報
【特許文献２】
特許文献２：特開２００２−３２９２９号公報
【特許文献３】
特許文献３：特開昭５９−５８４１４号公報
【特許文献４】
特許文献４：特開平７−２７０７１７号公報
【００１１】
【発明が解決しようとする課題】
以上に述べたように、半導体レーザの非点収差のみならず、その他の光学部品の非点収差をも補正し、もって、集光光学系全体の非点収差の低減を可能とすることを内容とする上記特許文献４に記載された従来技術においては、集光レンズ及び非点収差補正素子の非点収差が、各々半導体レーザ及びその他光学部品が有する非点収差と同程度でなければならないという構成条件がある。
【００１２】
しかしながら、一般的には、半導体レーザを除く光学部品（例えば、集光レンズ、非点収差補正素子を含む）の非点収差を所定の大きさに制御することは困難である。加えて、各光学部品の非点収差量がばらつく場合、そのばらつき分布に応じて、前記の構成条件が成立せず、そのため、集光光学系全体の非点収差を十分に補正することが困難となる場合があった。なお、かかる問題は、光ピックアップあるいは光ディスク装置の歩留りの低下を、さらには、それに伴うコストアップを招くこととなる。
【００１３】
本発明は、以上に述べた従来技術における問題点に鑑みてなされたものであり、すなわち、本発明の目的は、簡便な構成で、集光光学系全体の非点収差を確実に補正可能な光学系を備えた光ディスク装置を、さらには、そのための光ピックアップと光ピックアップの調整方法を提供することにある。
【００１４】
【課題を解決するための手段】
上記の目的を達成するため、本発明では、まず、円盤状の光情報記録媒体の情報記録面に光を照射して記録された情報を再生し、又は、情報を記録する光ディスク装置であって、少なくとも、光源と、当該光源から出射された発散光束を平行光束に変換するコリメートレンズと、当該平行光束を光ディスクの情報記録面に集光する対物レンズとを備えた光ピックアップを備えており、さらに、前記円盤状の光情報記録媒体を回転駆動する手段と、前記光ピックアップを回転駆動される光情報記録媒体の径方向に移動する手段と、前記光ピックアップにより得られる信号により光情報記録媒体上に記録された情報を再生し、又は、前記光ピックアップへの信号により光情報記録媒体上に情報を記録する回路手段とを備えた光ディスク装置において、前記光ピックアップは、さらに、前記光源から出射されて前記光ディスクの情報記録面に集光される光の非点収差を補正するための非点収差補正素子を備えており、かつ、前記非点収差補正素子は、前記光源と前記コリメートレンズとの間において、前記光源から前記光ディスクに至るまでの前記光ピックアップの光学部品全体により生じる非点収差が所定の値以下になる位置に調整されている光ディスク装置が提供される。なお、上記の構成において、前記前記光ピックアップは、さらに、偏光ビームスプリッタを前記コリメートレンズと前記対物レンズとの間に配置していてもよい。
【００１５】
さらに、本発明によれば、やはり上記の目的を達成するため、円盤状の光情報記録媒体の情報記録面に光を照射して記録された情報を再生し、又は、情報を記録する光ディスク装置において使用される光ピックアップであって、光源と、当該光源から出射された発散光束を平行光束に変換するコリメートレンズと、当該平行光束を光ディスクの情報記録面に集光する対物レンズと、前記光源から出射されて前記光ディスクの情報記録面に集光される光の非点収差を補正するための非点収差補正素子を備えた光ピックアップにおいて、前記非点収差補正素子は、前記光源と前記コリメートレンズとの間において、前記光源から前記光ディスクに至るまでの前記光ピックアップの光学部品全体により生じる非点収差が所定の値以下になる位置に調整されている光ピックアップが提供される。
【００１６】
なお、本発明では、前記に記載した光ピックアップにおいて、前記非点収差補正素子は、前記光源からの光に対し、その光軸方向の位置、及び、光軸回りの回転角度が調整されていることが好ましく、そして、円筒形状であり、光軸方向の前後に平行なシリンドリカル面を有しており、前記シリンドリカル面の少なくとも一方の面において、当該面を形成する二つの軸の一方の軸方向において所定の曲率を備えており、更には、その周囲にホルダー部を備えており、かつ、当該ホルダー部の一部には、切欠き部を備えていることが好ましい。
【００１７】
さらに、やはり上記の目的を達成するため、本発明によれば、前記に記載された光ピックアップの調整方法であって、前記光ピックアップの前記対物レンズから出射される光を観察しながら、前記非点収差補正素子の位置を調整する光ピックアップの調整方法が提案さてており、なお、この調整方法において、光ピックアップの前記非点収差補正素子の位置を、前記光源からの光に対し、その光軸方向の位置、及び、光軸回りの回転角度を調整することが好ましい。
【００１８】
【発明の実施の形態】
以下、本発明の一実施の形態になる光ディスク装置について、添付の図面を参照しながら説明する。まず、添付の図４は、本発明の光ヘッドを搭載した光ディスク装置の概略を示すブロック図である。
【００１９】
この図４において、符号４０は、本発明になる光ディスク装置に搭載された光ヘッド４０を示しており、この光ヘッド４０は、その内部にレーザ光源１を備えており、このレーザ光源１は、例えば、光ディスク２０に対応した波長λで発振する半導体レーザダイオードにより構成されている。なお、このレーザ光源１は、光ヘッド４０の内部において前方向モニタとして組み込まれた光検出器１２の出力を用い、更には、レーザ駆動回路５１を介して、所定の光量となるよう駆動されている。また、装着された光ディスク２０からの反射光束は、やはり光ヘッド４０の内部に備えられた光検出器９に入射し、そこで電気信号に変換され、その後、サーボ信号生成回路５２及び情報信号生成回路５３に送られることとなる。
【００２０】
一方、サーボ信号生成回路５２では、装着されたディスク２０に応じて好適な検出方式による各種サーボ信号を選択・生成し、システム制御回路５４に供給する。システム制御回路５４では各サーボ信号を基にアクチュエータ駆動回路５５を通して光ピックアップ４０の対物レンズアクチュエータ１１を駆動し、フォーカス位置制御及びトラッキング位置制御を行う。また、アクセス制御回路５６とスピンドルモータ駆動回路５７を介して、各々、上記光ピックアップ４０のアクセス方向位置制御や光ディスク２０の回転制御が行われる。
【００２１】
また、情報信号再生回路５３では、前記検出信号からディスクに記録された情報信号が再生される。また、情報記録の際には、システム制御回路５４から送られた記録情報信号に基づいて、レーザ駆動回路５１を介してレーザ光源１が所定の光量のレーザ光を発光するように駆動制御される。
【００２２】
ところで、上記にその概略構成を説明した本発明になる光ディスク装置においては、光学系を構成する光ピックアップとして、集光光学系全体の非点収差が十分小さい光ピックアップ４０を搭載することにより、形成される光スポットの形状を記録・再生に対して最適化すると共に、サーボ信号のデフォーカス特性を安定化させ、もって、より生産性のよい安定で高品質な光ディスク装置を供給することを可能とするものである。
【００２３】
次に、上記にその概略構成を説明した光ディスク装置において、その光学系を構成する光ピックアップの構成ならびに動作を、添付の図１を参照しながら、詳細に説明する。なお、この図１は本発明の第１の実施例としての光ピックアップの概略構成を示している。
【００２４】
図１において、レーザ光源１は光ディスク２０に対応した波長λで発振する半導体レーザダイオードである。レーザ光源１から放射された略直線偏光の発散光束は、非点収差補正素子２を透過して所定の大きさ及び方向の非点収差が与えられる。また、この非点収差補正素子２はホルダー１０によって保持されており、かつ、このホルダー１０は光軸方向位置調整と共に光軸回り回転角度調整が可能な機構を備えている。さらに、偏光ビームスプリッタ３は所定の方向の直線偏光を透過し、当該直線偏光と直交する直線偏光を反射する機能を有している。
【００２５】
なお、本実施の形態では、この偏光ビームスプリッタ３は、上記非点収差補正素子２を透過して偏光ビームスプリッタ３に入射した光束がほぼ透過するように配置されている。そして、図からも明らかなように、この偏光ビームスプリッタ３を透過した光束は、１／４波長板４によって円偏光に変換され、さらには、コリメートレンズ５によって平行光束に変換される。その後、当該平行光束は全反射ミラー６によって反射され、対物レンズ７に導かれる。なお、この対物レンズ７は、入射した平行光束を光ディスク２０の情報記録面に所定の開口数で収差よく集光可能なものであり、即ち、光ディスク２０上に光スポットを形成するものである。
【００２６】
他方、光ディスク２０にて反射された光束は、再び、対物レンズ７に入射して平行光束に変換され、全反射ミラー６によって反射され、さらに、コリメートレンズ５によって収束光束に変換される。更に、この収束光束は、１／４波長板４にてレーザ光源１の出射光束の直線偏光と直交する方向の直線偏光に変換される。すなわち、偏光ビームスプリッタ３にて反射された光束は、検出レンズ８を透過し、光検出器９に導かれて所定の電気信号に変換される。
【００２７】
ところで、本発明の実施の形態において上記集光光学系を構成する光学部品は、上述したように、例えば、レーザダイオード等、半導体レーザからなるレーザ光源１、非点収差補正素子２、偏光ビームスプリッタ３、１／４波長板４、コリメートレンズ５、全反射ミラー６、及び、対物レンズ７であり、集光光学系全体の非点収差は、これら各光学部品において生じる非点収差の合成である。
【００２８】
そこで、本発明によれば、上記の非点収差補正素子２にて所定の大きさ及び方向の非点収差を与えており、これによって、集光光学系を構成する非点収差補正素子２以外の光学部品であるレーザ光源１、偏光ビームスプリッタ３、１／４波長板４、コリメートレンズ５、全反射ミラー６及び対物レンズ７の各々にて生じる非点収差の合成の非点収差を補正するよう配置したものである。すなわち、この非点収差補正素子２にて与える非点収差については、大きさを前記非点収差補正素子２以外の光学部品の合成非点収差と略一致させると共に、その方向を該合成非点収差と略直交させるよう備えたものである。以上の構成によれば、集光光学系全体の非点収差を所定の値以下に、十分小さくすることが可能である。
【００２９】
次に、上述した本発明になる非点収差補正素子２の構成とその作用について、添付の図２（ａ）〜（ｃ）を参照しながら詳細に説明する。なお、これらの図２（ａ）〜（ｃ）は、上記本発明になる第１の実施の形態における非点収差補正素子２の概略を示す斜視図である。
【００３０】
まず、図２（ａ）に示す非点収差補正素子２は、板状の光学素子であり、その入射側の面と出射側の面とを互いに略平行に形成してシリンドリカル面としたものである。なお、ここで説明のため、例えば、その入射側の面及び出射側の面を、共に、ｘ軸方向に関しては曲率０、ｙ軸方向に関しては曲率ｃの面とする。
【００３１】
そこで、当該非点収差補正素子２への光束の入射を考える（初期状態）。この場合、上述したように、補正素子２の入射側の面及び出射側の面は、共に、ｘ軸方向に関しては曲率が０であることから、その入射高さに関係なく、光線の入射角は一定となる。一方、そのｙ軸方向に関しては、その入射側の面及び出射側の面は所定の曲率で湾曲していることから、その入射高さが高い光線ほどその入射角が大きくなる。そのため、主光線との間の光路長差が大きくなる。その結果、入射光束の光束径が大きい程、より大きな非点収差を与えることが出来る（図２（ｂ）を参照）。また、ここで発生する非点収差の方向とは、ｙ軸方向の波面の位相が遅れる方向となる。
【００３２】
そこで、本発明では、上記の機能を有する当該非点収差補正素子２を、特に、レーザ光源１とコリメートレンズ５との間で形成される、所謂、発散光束中に配置すると共に、当該非点収差補正素子２を光軸方向に移動可能な構成とした。特に、本実施の形態では、ディスクからの反射光による検出光学系に影響しないように、すなわち、レーザ光源１と偏光ビームスプリッタ３との間に配置した。
【００３３】
なお、上記の図２（ａ）は初期位置を示しており、また、図２（ｂ）は非点収差補正素子２を光軸方向（図の右方向）にコリメートレンズ５の方向に移動させた状態を示している。すなわち、図２（ｂ）の方が入射光束径は大きくなり、従って、より大きな非点収差を与えることが可能である。また、これとは逆に、当該非点収差補正素子２を、上記の初期位置から光軸方向に沿ってレーザ光源１側（図の左側）に移動させると、より小さな非点収差を与えることができる。
【００３４】
また、本発明では、当該非点収差補正素子２を光軸（ｚ軸）の回りにも回転可能な構成としている。添付の図２（ｃ）には、当該非点収差補正素子２を光軸回り（ｚ軸回り）にθだけ回転させた状態を示す。なお、この図２（ｃ）では、当該非点収差補正素子２の入射面及び出射面が、それぞれ、ｕ軸方向に関しては曲率０、そして、ｖ軸方向に関しては曲率ｃの湾曲形状を有しており、そのため、当該非点収差補正素子２によって入射光束に与えられる非点収差の方向は、ｖ軸方向の波面の位相が遅れる方向となっている。すなわち、当該非点収差補正素子２によれば、上記図２（ａ）の初期位置に対して、非点収差の方向も、その光軸（ｚ軸）回りにθだけ回転させることができる。
【００３５】
以上述べたように、上記の非点収差補正素子２によれば、レーザ光源１からの入射光束に対して与えられる非点収差に関しては、まず、その大きさについては当該非点収差補正素子２の光軸（ｚ軸）方向の位置により、また、その方向については、当該非点収差補正素子２の光軸（ｚ軸）回りの回転角度によって制御可能であることが分かる。
【００３６】
そこで、当該非点収差補正素子２以外の光学部品による（ある所定の範囲内で）任意の大きさ・方向の合成非点収差を予め求めることが可能であれば、当該非点収差補正素子２の位置及び回転角度を調整することによって、すなわち、非点収差補正素子２以外の光学部品による（ある所定の範囲内で）任意の大きさ・方向の合成非点収差を打ち消すような（ある所定の範囲内で）任意の大きさ・方向の非点収差を、当該非点収差補正素子２によって与えることができる。その結果、光ディスク装置における集光光学系全体の非点収差を、確実に、所定の値以下に低減することが可能となる。
【００３７】
なお、上記の本実施の一形態においては、当該非点収差補正素子２の形状を、その入射面と出射面が互いに略平行なシリンドリカルな面により形成されるものとして説明したが、しかしながら、本発明はかかる形状にのみ限定されものではない。例えば、非点収差補正素子２の形状を、その入射面と出射面とでｙ軸方向の曲率が異なる構成としてもよいし、又は、そのｘ軸方向の曲率が０以外のトーリック面によって構成してもよい。更には、例えば、硝材として光学プラスチック材料を用いた平行平板とし、その射出成形時に生じる内部応力等によって発生する非点収差を利用するものであってもよい。
【００３８】
また、本発明は、上述した非点収差補正素子２を除き、上記で述べた光ピックアップの構成要素に依存するものではなく、すなわち、上記で述べた光ピックアップ構成にのみ限定されるものではなく、上記の実施の形態で示した以外の光学部品を用いて構成される光ピックアップに対しても、適用可能であることは明らかであろう。
【００３９】
続いて、上記にその原理や作用について詳細に述べた本発明の一実施の形態になる光ピックアップの調整方法、すなわち、当該非点収差補正素子２を光ディスク装置に適用する際の調整方法について、添付の図３を参照しながら、その一例を以下に示す。なお、この図３は、この調整方法において使用される非点収差調整装置の概略構成を示すブロック図である。
【００４０】
この図３からも明らかなように、この非点収差調整装置は、ｘｙｚステージ３０を備えたスポット観測装置３３から構成されており、また、このスポット観測装置３３にはモニター３４が接続されている。
【００４１】
かかる非点収差調整装置により非点収差を調整する場合には、まず、光ディスク装置に適用する光ピックアップ４０を上記ｘｙｚステージ３０上に保持し、さらに、この光ピックアップ４０をレーザ駆動装置３１と対物レンズアクチュエータ駆動装置３２に接続する。また、上記光ピックアップ４０対物レンズの結像側には、当該光ディスク２０と同じ光路長を有するカバーガラス２１を、その面が光軸に対して垂直になるよう配置し、さらに、その上方には、上記スポット観測装置３３に備えられた顕微鏡が配置されるように調整する。なお、このスポット測定装置３３は、その顕微鏡で取込んだ画像をモニター３４に出力する。
【００４２】
次に、上記光ピックアップ４０に接続したレーザ駆動装置３１によって光ピックアップ４０のレーザ光源１を発光させ、対物レンズにより結像された光スポットが顕微鏡を介して観測できるように、モニター３４の画像を確認しながらｘｙｚステージ３０を位置調整を行なう。
【００４３】
さらに、アクチュエータ駆動装置３２によって、上記光ピックアップ４０の対物レンズを、接続した対物レンズアクチュエータ１１によってフォーカス方向に駆動しながら、上記スポット観測装置３３によってそのデフォーカススポットをモニター３４により観測する。
【００４４】
ここで、一般的に、非点収差がある光スポットをデフォーカスさせると、この光スポットは楕円形状に歪み、かつ、該楕円形状スポットの長軸方向が、対物レンズに近づく方向と離れる方向とで、互いに直交することが知られている。また、この非点収差が大きい程、形成される楕円スポットの楕円率が大きくなり、換言すれば、より細長い光スポット形状となる。逆に、この非点収差が小さい場合には、デフォーカスしても光スポットは略円形を保つこととなる。
【００４５】
ところで、上記図１にも示したように、本発明の一実施の形態である光ディスク装置の光ピックアップの例においては、非点収差補正素子２を保持するホルダー１０は円筒形状である。他方、この光ピックアップ４０を内部に収容するケース（例えば、その光回路基板４１上）には、例えば、添付の図５に示すように、Ｖ字形状の受容部４２が設けられており、当該円筒形状のホルダー１０に保持された非点収差補正素子２は、上記Ｖ字形状の受容部４２内において回転可能でかつ光軸方向へ移動可能な構造で受けられている。なお、図にも示すように、この円筒形状のホルダー１０には、その一部に切り欠き１１が設けられている。そこで、例えば、この切り欠き１１を利用して偏心ピン等を刺し込み、非点収差補正素子２をその光軸方向へ移動し、又は、光軸回りに回転することが出来る。
【００４６】
以上に述べたようにして、前記スポット観測装置３３のモニター３４上に表示されるデフォーカススポットを確認しながら、該デフォーカススポットが略円形を保つように偏心ピン等を用いてホルダー１０の光軸方向位置及び光軸回り回転角度を調整することによれば、当該光ピックアップ４０の集光光学形全体の非点収差を所定の値以下に小さくすることが出来る。
【００４７】
なお、本発明になる光ディスク装置は、必ずしも、上述した調整手段に依存するものではなく、すなわち、搭載する光ピックアップの非点収差量を測定可能なその他の手段を用いて調整してもよく、例えば、上記したスポット観測装置に代えて、干渉計によって光ピックアップの非点収差量を測定しながら調整してもよい。あるいは、それらに代えて、例えば、ジッタやトラッキング誤差信号のデフォーカス特性等、光ディスク２０の再生信号に基づいて調整してもよい。
【００４８】
すなわち、上述した実施の形態になる光ディスク装置においては、その集光光学系全体の非点収差が十分小さい光ピックアップ４０を搭載することが可能となることにより、光スポット形状を記録・再生に対して最適化すると共に、サーボ信号のデフォーカス特性を安定化できるので、より生産性が高く、かつ、安定で高品質な光ディスク装置を供給することが可能となる。
【００４９】
また、それに伴い、その光ピックアップによれば、光スポットの最適化及びサーボ信号のデフォーカス信号安定化が確実に可能となる。また、上記によれば、光ピックアップの歩留りを向上し、それに伴いコストを低減することができ、更には、かかる光ピックアップを搭載することにより、その結果として、性能が安定でかつ高品質な光ディスク装置を、歩留りよく、かつ、低コストで提供することが可能となる。
【００５０】
【発明の効果】
以上に詳細に述べたように、本発明によれば、簡便な構成で光ピックアップの集光光学系全体の非点収差を確実に補正可能であり、もって、特に、その再生や記録特性に優れた光ディスク装置を、高いの歩留りと低いコストで提供することが可能となるという優れた効果を発揮する。
【図面の簡単な説明】
【図１】本発明の実施の形態になる光ピックアップの概略構成を示す図である。
【図２】上記本発明になる非点収差補正素子の構成とその作用について説明する、当該素子の斜視図である。
【図３】上記本発明になる非点収差補正素子を備えた光ピックアップの非点収差を調整するための非点収差調整装置の概略構成を示す図である。
【図４】上記本発明になる光ピックアップを備えた光ディスク装置の概略構成を示すブロック図である。
【図５】上記本発明になる非点収差補正素子の光ピックアップ内における受容構造の一例を示す一部拡大斜視図である。
【符号の説明】
１・・・レーザ光源、２・・・非点収差補正素子、３・・・偏光ビームスプリッタ、４・・・１／４波長板、５・・・コリメートレンズ、６・・・全反射ミラー、７・・・対物レンズ、８・・・検出レンズ、９・・・光検出器、１０・・・ホルダー、１１・・・対物レンズアクチュエータ、１２・・・光検出器、２０・・・光ディスク、２１・・・カバーガラス、３１・・・レーザ駆動装置、３２・・・アクチュエータ駆動装置、３３・・・スポット観測装置、３４・・・モニター、４０・・・光ピックアップ、５１・・・レーザ駆動回路、５２・・・サーボ信号生成回路、５３・・・情報信号生成回路、５４・・・システム制御回路、５５・・・アクチュエータ駆動回路、５６・・・アクセス制御回路、５７・・・スピンドルモータ駆動回路
【図１】
2005004915.tif 000003
【図２】
2005004915.tif 000004
【図３】
2005004915.tif 000005
【図４】
2005004915.tif 000006
【図５】
2005004915.tif 000007